(57)【特許請求の範囲】
【請求項１】
画面の縦横比であるアスペクト比の変化に伴う画面上の画像歪みを補正する画像歪み補正方式において、
フライバックトランス（３）に接続された自動輝度制限（ＡＢＬ）回路（９）の出力であるＡＢＬ電圧を、前記自動輝度制限回路（９）の後段に接続されたＡＣ／ＤＣ増幅器（１０）に入力し、
マイクロコンピュータ（１２）は、各アスペクト比を示すモードの各種モード制御信号（ＭＣ１，ＭＣ２）を、前記ＡＣ／ＤＣ増幅器（１０）に入力し、
前記ＡＣ／ＤＣ増幅器（１０）は、前記のモード制御信号を受けると、各モードで最適な歪み補正となるように、各モード毎にその直流増幅度及び交流増幅度を調整し、
該調整された各種電圧（ＶＡ，ＶＢ，ＶＣ）を画像歪み補正回路（１１）を経て、ピンクッション補正増幅器（６）の出力を加算する加算器（７）に出力し、
さらに前記マイクロコンピュータ（１２）は、垂直パラボラ補正回路（５）からの垂直パラボラ波を受けてピンクッション補正を行う前記ピンクッション補正増幅器（６）に対して、その直流／交流利得を制御する利得制御信号（Ｇ）を出力し、
前記各モード別に前記の直流及び交流増幅度を決定し、補正を行うことにより、前記各モードでの画像歪みに対して最適な補正を可能としたことを特徴とするテレビジョンにおける画像歪み補正方式。
【請求項２】
前記のモード制御信号は、アスペクト比４対３画面のモードＡ対応の制御信号と、アスペクト比１６対９に対してフル画面で水平偏向し、垂直偏向は３分の４に伸長したアスペクト比４対３画面のモードＢ対応の制御信号と、アスペクト比１６対９に対して水平及び垂直共にフル画面にて偏向するアスペクト比４対３画面のモードＣ対応の制御信号である請求項１に記載の画像歪み補正方式。
【発明の詳細な説明】
【０００１】
【産業上の利用分野】
本発明は、ワイドスクリーン用テレビジョン（以下、ＷＳＴＶ）における画像歪み補正方式に関する。
【０００２】
【従来の技術】
ＷＳＴＶにおいて、現行の画面縦横比（アスペクト比）４対３に対応するために、４対３及び１６対９の各モードを持つＴＶ受信機が一般化している。回路構成の簡素化及びコスト上の有利さで、ダイオード変調方式によるアスペクト変換を行う場合に、モードＡのときは１６対９の受像管上に４対３の映像を映すために、水平方向を３／４に圧縮した映像表示となる。
【０００３】
特に、このときに発生する問題として、受像管画面上の左右が無表示部分（暗部）となり、圧縮画面の輝度変化による高圧変動によって、画面枠部分の曲がり（歪み）を生じ見苦しい状態となる。また、他のモードにおいても同様で、水平方向又は垂直方向にアスペクト比の変更による歪みを生じる。
図４及び図５は従来の画像歪み補正の要部構成図である。図中、１は電源（Ｂ）、４３はフライバックトランス（ＦＢＴ）である。図４に示すように、画像歪みの補正として、フライバックトランス４３から出力される高圧出力電圧（ＨＶ）中の高圧変動部分（ΔＨ）を、アンプ４４を介して水平偏向回路電源４２にフィードバックし、水平偏向回路電源電圧をＢ±ΔＢ変化させ、フライバックトランストランス４３に供給し、高圧出力電圧（ＨＶ）が一定となるようにしている。但し、この場合に、ダイオード変調方式によるアスペスト変更は行わない。
【０００４】
また、従来の受像管の４対３アスペクト比の画像歪み補正は、アスペクト変更のモードを必要としないために、図５に示すように、単純に加算器５３によりアンプの最適利得を決定すればよい。即ち、加算器５３は、フライバックトランス４３に接続された自動輝度制限（ＡＢＬ）アンプ５６からフィードバックされたＡＢＬ電圧と、垂直パラボラ補正回路５１からの垂直パラボラ波を受けてピンクッション補正を行うピンクッション（ＰＩＮ）回路５２からの出力とを加算し、最適利得を決定し、ドライバ５４を経てダイオード変調回路５５に入力する。
【０００５】
図２は１６対９受像管に４対３の映像（モードＡ）を示したもので映像歪み状態の説明図である。本来は白部及び黒部とも長方形の映像（点線で示す）であるが、画面の明暗による高圧変動のために台形へと歪んでおり、たて枠の部分も同様に歪んでいる。
図３（Ａ），（Ｂ），（Ｃ）はモードの説明図である。（Ａ）はモードＡでありこの４対３映像は水平偏向では３／４に圧縮したものであり、縦方向はフル画面である。従って、横の両側には暗部が生じる。勿論、画面はＡを中心にした同心円である。（Ｂ）はモードＢでありこの場合は水平偏向ではフル画像であるが、垂直偏向はモードＣに対して４／３に伸長した４対３画面である。（Ｃ）はモードＣであり１６対９の受像管に４対３画面を、水平及び垂直に対してフル画面に表示したものである。当然図示のように、画面に歪みを生じる。
【０００６】
【発明が解決しようとする課題】
上記のような従来の画像歪み補正において、図４及び図５に示すように従来の受像管のアスペクト比は４対３のみであったため、単一の補正でよい。しかし、近年、いわゆる横長画面ＴＶとして発展している１６対９のワイドアスペクト画面の普及と共に、これらの映像サイズ、即ち、４対３及び１６対９、に自在に対応する必要が生じてきている。
【０００７】
なお、図４及び図５に示す従来の単一での補正回路では、他のモードへ移行した時に補正動作に異常を生じ、画像歪みに対して逆効果となる場合もあり、動作として不安定である。
本発明の目的は、これらの問題を解決するために、自動輝度制限（ＡＢＬ）電圧を利用してピンクッション（ＰＩＮ）補正回路に各モード別の最適な補正が得られるように、マイクロコンピュータによりモード制御（ＭＣ）信号を出力し、画像歪みを軽減することが可能な画像歪み制御方式を提供することにある。
【０００８】
【課題を解決するための手段】
本発明は、画面の縦横比であるアスペクト比の変化に伴う画面上の画像歪みを補正する画像歪み補正方式において、フライバックトランス３に接続された自動輝度制限（ＡＢＬ）回路の出力であるＡＢＬ電圧を、前記自動輝度制限回路の後段に接続されたＡＣ／ＤＣ増幅器１０に入力し、マイクロコンピュータ１２は、各アスペクト比を示すモードの各種モード制御信号（ＭＣ１，ＭＣ２）を、前記ＡＣ／ＤＣ増幅器１０に入力し、前記ＡＣ／ＤＣ増幅器１０は、前記モード制御信号を受けると、各モードで最適な歪み補正となるように、各モード毎にその直流増幅度及び交流増幅度を調整し、調整した各種電圧（ＶＡ，ＶＢ，ＶＣ）を画像歪み補正回路１１を経て、ピンクッション補正を受けて加算する加算器７に出力し、前記モード別に直流及び交流増幅度を決定し、補正を行うことにより、各モードでの画像歪みに対して最適な補正を可能としたことを特徴とする。
【０００９】
【作用】
本発明は、モードＡ，Ｂ，Ｃを判断することができるモード制御信号をマイクロコンピュータから出力し、モードＡ，Ｂ，Ｃに最適な歪み補正となるように、ＡＢＬアンプに接続されたＡＣ／ＤＣアンプの直流増幅度及び交流増幅度になるように、マイクロコンピュータからのモード制御信号で切り換えを行い、ピンクッション補正回路に加算する。本発明ではモード別に直流及び交流増幅度を決定し、補正を行うために、各モードでの画像歪みに対して最良点補正が可能となる。
【００１０】
【実施例】
図１は本発明の画像歪み補正方式を実施する装置の構成図である。水平出力回路１の出力及びダイオード変調４の出力は、水平偏向を駆動するものであり、水平偏向コイル（Ｈ−ＤＹ）２に水平偏向電流を供給することにより水平偏向を行う。さらに、フライバックトランス（ＦＢＴ）３は受像管に対して高電圧（ＨＶ）を供給する。自動輝度制限（ＡＢＬ）アンプ９はフライバックトランス３に接続され、その高圧電流を検出する。なお、自動輝度制限アンプ９はバッファアンプに代えることができる。
【００１１】
垂直パラボラ補正回路５（シェージング補正回路）は画面中央付近の輝度が周囲と相違するのを補正するために、鋸歯状波若しくはパラボラ波を発生して垂直偏向フィードバック波形を整形する。この垂直パラボラ波は後段のピンクッション（ＰＩＮ）補正アンプ６に供給される。このピンクッションアンプ６は直流／交流利得をマイクロコンピュータ１２のデータラインを経て送られる利得制御信号（Ｇ）によって、マイクロコンピュータ１２により制御される。ピンクッションアンプ６の出力は、加算器７を介してピンクッション（ＰＩＮ）出力回路８に出力され、ピンクッション出力回路８はダイオード変調回路４を駆動する。
【００１２】
ダイオード変調回路４ではピンクッション出力回路８の出力電圧（Ｖｐ）によりその水平偏向電流が変調される。そのためにピンクッションアンプ６の直流／交流利得を変化させることにより、水平サイズ（即ち、アスペクト比及びピンクッション補正量を可変制御することができる。マイクロコンピュータ１２はモード制御信号１（ＭＣ１）及びモード制御信号２（ＭＣ２）をＡＣ／ＤＣアンプ１０に出力する。ＡＣ／ＤＣアンプ１０は利得を可変することができる増幅器であり、自動輝度制限アンプ９からのＡＢＬ電圧の交流分及び直流分の増幅度を、モード制御信号１（ＭＣ１）及びモード制御信号２（ＭＣ２）により制御可能である。ＡＣ／ＤＣアンプ１０は、電圧ＶＡ，ＶＢ，ＶＣを画像補正出力回路１１を経て加算器７に供給する。
【００１３】
また、フライバックトランス３単体で、受像管に流れる信号電流により高圧変動が発生し、映像の明るさに対応した高圧変動により画像歪みは発生する。本発明では、図１に示すように、自動輝度制限（ＡＢＬ）アンプ９においてＡＢＬ電圧を検出し、ＡＣ／Ｄアンプ１０に入力する。
ＡＣ／Ｄアンプ１０は、図３に示すように、モードＡではフル画面使用ではないが、モードＢ，Ｃではフル画面使用となるために管面曲率が大きくなるので、その交流増幅度を増大することになる。また、同時にフル画面となるためにピンクッションアンプ６からの直流電圧出力は低下し、その結果、補正出力の直流電位も低下するので、画像歪み出力回路１１からの直流電位も低下させて加算器７に出力する。
【００１４】
このように、マイクロコンピュータ１２から出力されるモード制御信号（ＭＣ１，ＭＣ２）によって、ＡＣ／ＤＣアンプ１０の増幅度を、受像管の管面曲率、水平サイズ、垂直振幅の大きさに応じて制御する。そして、モード制御信号（ＭＣ１，ＭＣ２）で制御されたＡＣ／ＤＣアンプ１０の出力が、モードＡ，Ｂ，Ｃに対応して出力電圧ＶＡ，ＶＢ，ＶＣとなり、画像歪み補正出力回路１１を経て加算器７にてピンクッション補正に対して画像歪み補正を加えた波形とし、この波形でピンクッション出力によりダイオード変調回路４を駆動することにより画像歪みを低減することができる。
【００１５】
ＷＳＴＶをユーザが使用するに際しては、映像アスペクト比が４対３の場合、各モードの使用が可能であるが一般的にはモードＡを使用する。そして、これはユーザの好みによることであるから、ユーザがリモコンによりモード決定を行うことになる。ユーザによりモードが決定されると、マイクロコンピュータにより、ハイ（Ｈ），ロー（Ｌ）からなる２ビット出力（即ち、モード制御信号（ＭＣ１，ＭＣ２））を得る。このモード制御信号によりＡＣ／ＤＣアンプを適切に制御して映像歪み補正を行う。
【００１６】
モード制御信号（ＭＣ１，ＭＣ２）とモードＡ，Ｂ，Ｃの関係の一例を以下の表１に示す。
【００１７】
【表１】
0003699144.tif 000002
【００１８】
【発明の効果】
以上説明のように、本発明によれば、自動輝度制限電圧を利用してピンクッション補正回路に各モード別の最適な補正が得られるように、マイクロコンピュータによりモード制御信号を出力し、画像歪みを低減するようにしたので、画像歪みは動画及び静止画の各モードにおいて改善され、特にモードＡ（アスペクト比４対３）の時の暗部と映像部の歪みは大幅に改善することができる。さらに、ＷＳＴＶの偏向歪みによる画像歪み補正を、従来に比べて低価格で実現することができる。
【図面の簡単な説明】
【図１】本発明の画像歪み補正方式を実施する装置の構成図である。
【図２】アスペクト比１６対９受像管に４対３の映像（モードＡ）を示したもので映像歪み状態の説明図である。
【図３】各アスペクト比のモードＡ，Ｂ，Ｃの説明図である。
【図４】従来の画像歪み補正の要部構成図（その１）である。
【図５】従来の画像歪み補正の要部構成図（その２）である。
【符号の説明】
１…水平出力回路
２…水平偏向回路
３…フライバックトランス
４…ダイオード変調回路
５…垂直パラボラ補正回路
６…ピンクッション補正回路
７…加算器
８…ピンクッション回路
９…自動輝度制限回路
１０…ＡＣ／ＤＣアンプ
１１…画像歪み補正回路
１２…マイクロコンピュータ
【図１】
0003699144.tif 000003
【図２】
0003699144.tif 000004
【図３】
0003699144.tif 000005
【図４】
0003699144.tif 000006
【図５】
0003699144.tif 000007